(57)【要約】【課題】足裏への熱の伝わりが懸念されるような現場での作業性を改善できると共に、足への負担を軽減することができ、長時間の連続した作業を可能とする断熱用インソールを提供すること。【解決手段】足裏が接触された状態で使用される断熱用インソール１０Ｒであって、足の中足部及び後足部に対応する領域の周縁が表面側に立ち上げられて壁状の周縁立上部１１Ｗが形成された断熱性のコルク材層１１と、コルク材層１１の表面部に圧着されたクッション性のウレタン層１２とを有する。【選択図】図１
2019150426.tif 000002
【特許請求の範囲】
【請求項１】
足の裏側が接触された状態で使用される断熱用インソールであって、
前記足の中足部及び後足部に対応する領域の周縁が立ち上げられて形成されたコルク部材と、
前記コルク部材の表面部に圧着されたクッション部材と
を有することを特徴とする断熱用インソール。
【請求項２】
前記コルク部材の裏面側に圧着された補強用シートを、さらに有することを特徴とする請求項１記載の断熱用インソール。
【請求項３】
前記補強用シートは、不織布又はウレタンスポンジシートであることを特徴とする請求項２記載の断熱用インソール。
【請求項４】
前記クッション部材は、その表面側に、前記足の裏側の３アーチを保つ凹凸形状を備えることを特徴とする請求項１−３のいずれか１項記載の断熱用インソール。
【発明の詳細な説明】
【技術分野】
【０００１】
本発明は、断熱用インソールに関する。
【背景技術】
【０００２】
道路の舗装工事の現場においては、作業靴として、高い断熱性能を備えた耐熱性の安全靴が用いられる。なぜなら、道路の舗装工事、特に、アスファルトの舗設作業においては、舗設用のアスファルトが冷えて固まる前の高温度のうちに作業する必要があるが、アスファルトは舗設の直後から２０分程度経過した後の温度が大よそ１００〜１２０℃にもなる。
【０００３】
耐熱性の安全靴としては、断熱効果（耐熱性）に優れたゴム底靴が既に知られている（例えば、特許文献１参照）。また、付属のインソールを装着するようにした専用の安全靴も市販されている。
【０００４】
なお、断熱効果を特徴としたインソールとしては、これまでフラットタイプの防寒（保温）用のものが主流となっており、寒冷地などでの暖かさを確保するものであった（例えば、特許文献２参照）。
【０００５】
また、インソールとしては、芯材にコルク材を用いた平板状の靴用中敷き構造も、これまでに提案されている（例えば、特許文献３参照）。
【先行技術文献】
【特許文献】
【０００６】
【特許文献１】特開２００４−２０１７６８号公報
【特許文献２】特開２００１−２９９４０９号公報
【特許文献３】特開平１０−２３４４１７号公報
【発明の概要】
【発明が解決しようとする課題】
【０００７】
しかしながら、これまでのインソールは、芯材にコルク材を用いたものであっても、フラットタイプのものが主流であった。そのため、防寒用のものも含め、靴内での足の位置の滑りによる変化などに起因して、足が疲労しやすいといった問題があった。
【０００８】
足の疲労は、長い時間にわたって連続して作業する場合など、現場での作業性を著しく悪化させる。
【０００９】
本発明は、足裏への熱の伝わりが懸念されるような現場での作業性を改善できると共に、足への負担を軽減することができ、長時間の連続した作業を容易に可能とする断熱用インソールを提供することを目的とする。
【課題を解決するための手段】
【００１０】
本発明は、足の裏側が接触された状態で使用される断熱用インソールであって、
前記足の中足部及び後足部に対応する領域の周縁が立ち上げられて形成されたコルク部材と、
前記コルク部材の表面部に圧着されたクッション部材と
を有することを要旨とする。
【００１１】
即ち、本発明に係る断熱用インソールは、靴内において、足の裏側が接触された状態で使用されるものであって、周縁の少なくとも一部が立ち上げられて形成された耐熱性のコルク部材と、このコルク部材の上面に圧着されたクッション部材との積層構造により、軽量化と共に、高い断熱性とクッション性とを確保する構成とされている。
【００１２】
しかも、断熱用インソールは、コルク部材の周縁の立ち上げによって足の位置が保持されて、靴内での足の位置の滑りによる変化などが抑えられると共に、クッション部材が足裏の３アーチを保つ凹凸形状を有して形成されることにより、足への負担や疲労が軽減される。
【００１３】
また、断熱用インソールは、コルク部材の裏面側に全面的に、保温性の不織布又はウレタンスポンジシートからなる補強用シートが熱圧着されて、コルク部材の形状が保持されると共に、コルク部材が欠損したりするのを保護（補強）できる構成とされている。
【発明の効果】
【００１４】
以上のように、本発明によれば、圧縮によってコルク部材の足裏の中足部から後足部に対応する領域の周縁を部分的に立ち上げて形成し、さらに、そのコルク部材の上にクッション部材を配置するようにしたので、軽量でありながら、断熱効果の向上と、靴内での足の位置が滑りにより変化するのを抑制することが容易に可能となり、過酷な作業現場においても、足への負担を軽減できると共に、長時間の連続した作業をしても足が疲労しにくい断熱用インソールを提供できる。
【００１５】
特に、足底（足裏）への高温の熱（高温熱）の伝わりを断熱することに限らず、例えば、足裏への冷えの伝わりをも断熱（断冷ともいう）できるようにすることは、過酷な作業現場での作業性を格段に向上させる。
【図面の簡単な説明】
【００１６】
【図１】本発明の一実施形態に係る断熱用インソールを舗装工事靴用とした場合を例に示す概略構成図である。
【図２】断熱用インソールと舗装工事用安全靴と足骨格との関係を説明するための概略斜視図である。
【図３】断熱用インソールと舗装工事用安全靴と足骨格との関係を説明するための概略側面図である。
【図４】足骨格を説明するための概略斜視図である。
【図５】足骨格を説明するための概略側面図である。
【図６】断熱用インソールと足骨格との関係を説明するための概略底面図である。
【図７】断熱用インソールの一例を示す概略平面図である。
【図８】図７に示す断熱用インソールの長さ方向の概略断面図である。
【図９】図７に示す断熱用インソールの幅方向の概略断面図である。
【図１０】断熱用インソールの一例を示す概略底面図である。
【図１１】断熱用インソールの一例を示す概略（内）側面図である。
【図１２】断熱用インソールの一例を示す概略（外）側面図である。
【図１３】断熱用インソールの温度特性を説明するためにシミュレーションした結果を示す概略図である。
【図１４】断熱用インソールの温度特性を説明するためにしたシミュレーションの結果を示す概略図である。
【図１５】本発明の他の実施形態に係る断熱用インソールを例示する概略構成図である。
【図１６】本発明の、さらに別の実施形態に係る断熱用インソールを例示する概略斜視図である。
【発明を実施するための形態】
【００１７】
以下、この発明の実施形態について図面を参照して説明する。
【００１８】
＜実施形態＞
図１は、本実施形態に係る断熱用インソールが適用された舗装工事靴用インソールの構成例を示すものである。なお、図１（ａ）は、舗装工事靴用インソールの表面（上面）側の概略斜視図であり、図１（ｂ）は、図１（ａ）のｂ−ｂ線に沿う概略断面図である。また、舗装工事靴用インソールは、後述する舗装工事用安全靴などの作業靴中に挿入された状態で使用されるものであって、通常は左足用及び右足用の一対で用いられるが、左右の構造はほぼ同一（左右対称）なので、ここでは右足（ＲＦ）のための舗装工事靴用インソール１０Ｒを例示して説明する。
【００１９】
舗装工事靴用インソール１０Ｒは、図１（ａ）及び図１（ｂ）に示すように、足底とも称する足裏の平面とほぼ同一形状の、コルク材層１１（圧縮コルク材ともいう）と、このコルク材層１１の上面（表面部）側に熱圧着された、例えばウレタン層１２（圧縮ウレタン材ともいう）とを備えて構成されている。
【００２０】
コルク材層１１としては、例えば、粉砕されたコルクガシの樹皮を接着剤と共に薄板状に圧縮成型した圧縮コルク材（圧搾コルク）が用いられる。
【００２１】
また、舗装工事靴用インソール１０Ｒは、その裏面部１０Ｂ側において、コルク材層１１の下面の、後述する足裏の前足部から後足部に対応する領域が全面的にフラットな平面形状（平板状）とされている。そして、この舗装工事靴用インソール１０Ｒは、少なくとも足裏の中足部及び後足部に対応する領域（後述する）の、その周縁部分に、壁状の周縁立上部１１Ｗが設けられている。周縁立上部１１Ｗは、コルク材層１１とウレタン層１２とによって、例えば裏面部１０Ｂ側の底面からの高さが最大で１５ｍｍ程度とされている。
【００２２】
一方、舗装工事靴用インソール１０Ｒは、その表面部１０Ｓ側において、ウレタン層１２の上面の、足裏の前足部に対応する領域がフラットな平面形状とされている。また、舗装工事靴用インソール１０Ｒの表面部１０Ｓ側には、足裏の３アーチを保持するための凹凸形状（凸形状部１２Ｓ）が設けられると共に、後足部に対応する領域に、足裏の踵部分をホールドするためのヒールカップ部１０Ｃ（凹形状部）が設けられている（詳細については後述する）。
【００２３】
凸形状部１２Ｓは、足裏の３アーチのうち、後述する横アーチにほぼ対応する横アーチ用凸部１２ＳＡと、後述する内側縦アーチにほぼ対応する内側縦アーチ用凸部１２ＳＢと、後述する外側縦アーチにほぼ対応する外側縦アーチ用凸部１２ＳＣと、を含んでいる。なお、横アーチ用凸部１２ＳＡは、舗装工事靴用インソール１０Ｒの裏面部１０Ｂ側の底面からの高さが最大で１０ｍｍ程度の所定の形状とされている。
【００２４】
即ち、本実施形態の舗装工事靴用インソール１０Ｒは、コルク材層１１によって耐熱性のコルク部材（芯材）が構成されると共に、ウレタン層１２によってクッション部材（軟質の合成樹脂層）が構成されている。
【００２５】
そして、この舗装工事靴用インソール１０Ｒは、さらに、コルク材層１１の下面（底面）側に全面的に補強用シートとしての不織布１３が熱圧着されている。不織布１３は、保温性を有すると共に、コルク材層１１の形状を保持するために設けられたものであって、特に、周縁立上部１１Ｗの縁部分が欠損したりするのを防止する。不織布１３には、素材として、例えばコットンや麻、ウールなどの天然素材、合成繊維、再生繊維、パルプ、ポリエステルなどが用いられる。また、不織布１３に代えて、ウレタンスポンジシートを採用しても良い。
【００２６】
これに対し、ウレタン層１２上には、その全面に、速乾性を有する表層部材１４が熱圧着されている。表層部材１４としては、靴下などとの静摩擦力が大きくて滑り難いストッパー材（例えば、メッシュシート）が用いられる。消臭効果や抗菌効果を有する部材を、表層部材１４として採用することも可能である。
【００２７】
本実施形態に係る舗装工事靴用インソール１０Ｒによれば、コルク材層１１とウレタン層１２との積層構造により、軽量化できると共に、コルク材層１１によって、舗装工事靴用インソール１０Ｒとしての高い断熱効果（断熱性）を確保できる。
【００２８】
また、凸形状部１２Ｓにより足裏の３アーチを十分にサポートできるようになると共に、ヒールカップ部１０Ｃや周縁立上部１１Ｗによる靴内での足の位置の滑りによる変化を適度に抑制できるようになる結果、足への負担や疲労を効果的に軽減することが可能となっている。
【００２９】
従って、足裏への熱の伝わりが懸念されるような過酷な現場での作業性を向上でき、長時間の連続した作業を容易に可能にする。
【００３０】
しかも、コルク材層１１を不織布１３によって保護するようにしたので、周縁立上部１１Ｗが変形したり、コルク材層１１が欠損したりするのを防ぐことが可能となる。
【００３１】
また、本実施形態の舗装工事靴用インソール１０Ｒにおいては、図１（ａ）中に拡大して示す要部１１Ｗｅｘのように、周縁立上部１１Ｗをもコルク材層１１とウレタン層１２との積層構造としたことにより、足裏への熱のまわり込をも効果的に抑制することが可能となっている。
【００３２】
なお、以下の記載においては、ヒールカップ部１０Ｃに対して、足の内側（親指側）に対応する領域の周縁立上部１１Ｗを内側周縁立上部１１ＷＩとも称し、足の外側（小指側）に対応する領域の周縁立上部１１Ｗを外側周縁立上部１１ＷＯとも称する（例えば、図６参照）。
【００３３】
ここで、舗装工事靴用インソール１０Ｒと舗装工事用安全靴ＡＳと足骨格ＦＢとの関係について説明する。
【００３４】
図２は、舗装工事用安全靴ＡＳを履いた状態を、右足ＲＦ用を例に示す概略斜視図であり、図３は、その概略側面図である。なお、図２及び図３においては、舗装工事靴用インソール１０Ｒと右足ＲＦの足骨格ＦＢとを、舗装工事用安全靴ＡＳを透過した状態で示している。また、図４、図５はいずれも足骨格ＦＢについて示すもので、図４は右足ＲＦを例に足裏ＦＴの３アーチを示す概略斜視図、図５は右足ＲＦの足骨格ＦＢを示す概略側面図である。図６は、舗装工事靴用インソール１０Ｒと足骨格ＦＢの足裏ＦＴとの関係を説明するための概略底面図である。
【００３５】
図２及び図３に示すように、本実施形態に係る舗装工事靴用インソール１０Ｒは、例えばレザー製のアッパー２０を備えた舗装工事用安全靴ＡＳ内に挿入され、表面部１０Ｓ側に対向する裏面部１０Ｂ側が舗装工事用安全靴ＡＳの中底２２に沿うようにして装着される。舗装工事靴用インソール１０Ｒは、市販の舗装工事用安全靴ＡＳに対して着脱可能な状態で使用される。舗装工事用安全靴ＡＳは、アスファルトなどが舗設された舗設面に余計な靴跡を残さないようにするために、例えば、舗設面と接触する本底（アウトソール）の靴底２１が平坦なゴム底によって形成されている。ゴム底は、適度な耐熱効果を有する。
【００３６】
そして、この舗装工事用安全靴ＡＳを工事関係者である作業者が履くことによって、作業者の足裏ＦＴが、図示していない靴下を介して、舗装工事靴用インソール１０Ｒの表面部１０Ｓに当接される。これにより、舗装工事靴用インソール１０Ｒが断熱用インソールとして機能し、靴底２１の耐熱効果と相まって、より一層の断熱性能を確保可能となる（詳細については後述する）。
【００３７】
次に、足骨格ＦＢの各部の名称について説明する。
【００３８】
足骨格ＦＢは、図４、図５に示すように、前足部１２０と、中足部１２２と、後足部１２３とから構成されている。なお、本実施形態では解剖学的な名称を用いないで、義肢装具などの製造業界で使われている名称を用いて説明する。また、ここでは、足首から先（つま先側）の部分を「足」と称し、右足ＲＦを例示している。
【００３９】
前足部１２０は、図４、図５に示すように、第１末節骨１２７と第２末節骨１２８と第３末節骨１２９と第４末節骨１３０と第５末節骨１３１、並びに、中節骨１３５、１３６、１３７、１３８と、第１基節骨１４１と第２基節骨１４２と第３基節骨１４３と第４基節骨１４４と第５基節骨１４５とからなる範囲をいう。
【００４０】
中足部１２２は、図４、図５に示すように、第１中足骨１５１と第２中足骨１５２と第３中足骨１５３と第４中足骨１５４と第５中足骨１５５と第１楔状骨１６１と第２楔状骨１６２と第３楔状骨１６３と立方骨１７１と舟状骨１７３とからなる範囲をいう。
【００４１】
なお、前述の前足部１２０と中足部１２２との接続部分を踏付部１２６と称する。この踏付部１２６は、図４、図５に示すように、第１基節骨１４１、第２基節骨１４２、第３基節骨１４３、第４基節骨１４４、第５基節骨１４５の各々の骨底付近と、第１中足骨１５１、第２中足骨１５２、第３中足骨１５３、第４中足骨１５４、第５中足骨１５５の各々の骨頭付近とからなる範囲である。
【００４２】
即ち、前足部１２０は、足の先端から踏付部１２６の中央付近までの範囲である。よって、この踏付部１２６の中央付近を、前足部１２０から視て、前足部後端とも称する。また、中足部１２２は、踏付部１２６の中央付近から後足部１２３の先端までの範囲である。よって、踏付部１２６の中央付近を、中足部１２２から視て、中足部先端とも称する。
【００４３】
後足部１２３は、図４、図５に示すように、距骨１７５と踵骨１７７とからなる範囲である。
【００４４】
そして、足というのは、図４に示すように、足骨格ＦＢの横アーチ１８１と内側縦アーチ１８３と外側縦アーチ１８６とからなるアーチ構造（足裏ＦＴの３アーチ１８８）をしっかりと保つことが重要である。
【００４５】
横アーチ１８１は、第１中足骨１５１、第２中足骨１５２、第３中足骨１５３、第４中足骨１５４、第５中足骨１５５を結ぶ盛り上がりライン（横アーチラインとも称する）である。
【００４６】
内側縦アーチ１８３は、第１中足骨１５１、第１楔状骨１６１、舟状骨１７３、距骨１７５、踵骨１７７を結ぶ盛り上がりライン（内側縦アーチラインＩＡとも称する）である。
【００４７】
外側縦アーチ１８６は、第５中足骨１５５、立方骨１７１、踵骨１７７を結ぶ盛り上がりライン（外側縦アーチラインＯＡとも称する）である。
【００４８】
なお、図６に示すように、足裏ＦＴにおいて、踏付部１２６に対応する踏付部対応領域２２６の、足の親指の付け根あたり（第１中足骨１５１の骨頭付近）を「母趾球ＭＢ」と称し、これに対して、足の小指の付け根あたり（第５中足骨１５５の骨頭付近）を「小趾球ＬＢ」と称する。また、内側とは足の親指側を指し、外側とは足の小指側を指す。
【００４９】
本実施形態の舗装工事靴用インソール１０Ｒは、例えば足囲（足幅周り）の測定に利用される、母趾球ＭＢ及び小趾球ＬＢのほぼ中心を結んだｃ−ｃ線の延長線付近に、周縁立上部１１Ｗにおける内側周縁立上部１１ＷＩの内側周縁立上位置１１ＷＩＳと、外側周縁立上部１１ＷＯの外側周縁立上位置１１ＷＯＳとが対応するように設計されている。
【００５０】
図６において、舗装工事靴用インソール１０Ｒは、舗装工事用安全靴ＡＳの装着に伴って作業者の足裏ＦＴと接触する。これにより、作業中は、前足部１２０に対応する領域２２０（前足部対応領域）と、中足部１２２に対応する領域２２２（中足部対応領域）と、後足部１２３に対応する領域２２３（後足部対応領域）とによって、足裏ＦＴが全体的に保持される。
【００５１】
特に、足裏ＦＴの３アーチ１８８における横アーチ１８１が、主に横アーチ１８１を整える凸形状部１２Ｓの横アーチ用凸部１２ＳＡによって、内側縦アーチ１８３が、主に内側縦アーチ１８３を整える凸形状部１２Ｓの内側縦アーチ用凸部１２ＳＢによって、外側縦アーチ１８６が、主に外側縦アーチ１８６を整える凸形状部１２Ｓの外側縦アーチ用凸部１２ＳＣによって、それぞれ保持される。これにより、足裏ＦＴの形状を、舗装工事靴用インソール１０Ｒによって十分にサポートできるようになる。従って、長時間の作業によっても、作業者の足への負担や疲れを抑え、足裏ＦＴの３アーチ１８８を常に良好な状態に保つことが可能となる。
【００５２】
そして、足の踵部分が、舗装工事靴用インソール１０Ｒのヒールカップ部１０Ｃによって保持される。また、主に右足ＲＦの内側の部分が周縁立上部１１Ｗの内側周縁立上部１１ＷＩによって、主に右足ＲＦの外側の部分が周縁立上部１１Ｗの外側周縁立上部１１ＷＯによって、それぞれ保持される。これにより、舗装工事用安全靴ＡＳ内において、作業者の足が横方向又は縦方向に滑るといった位置ずれなどの位置の変化を抑制することが可能となる。従って、長時間の作業によっても、作業者の足への負担や疲れを抑えることが可能となる。
【００５３】
しかも、この舗装工事靴用インソール１０Ｒによれば、靴底２１がゴム底からなる舗装工事用安全靴ＡＳだけの場合よりも、作業中の作業者の足裏ＦＴを高温熱から効果的に保護できるようになる。従って、道路などの舗装工事における作業効率を改善することが可能となり、作業性の向上が図れる。
【００５４】
次に、本実施形態に係る舗装工事靴用インソール１０Ｒについて、図７〜図１２を参照して、さらに説明する。
【００５５】
即ち、図７は、右足ＲＦ用の舗装工事靴用インソール１０Ｒを例に示す概略平面（上面）図であり、図８は、図７に示すｒ−ｒ線に沿う、舗装工事靴用インソール１０Ｒの長さ方向の概略断面図である。図９は、舗装工事靴用インソール１０Ｒの幅方向の概略断面図であって、図９（ａ）には図７のｓ−ｓ線に沿う断面を、図９（ｂ）には図７のｔ−ｔ線に沿う断面を、図９（ｃ）には図７のｕ−ｕ線に沿う断面を、それぞれ示している。
【００５６】
なお、図７〜図１２において、Ｉｆは舗装工事靴用インソール１０Ｒの前方（つま先）側を、Ｉｂはその後方（踵）側を、Ｉｉは舗装工事靴用インソール１０Ｒの内側を、Ｉｏはその外側を、Ｉｓは舗装工事靴用インソール１０Ｒの表面部（１０Ｓ）側を、Ｉｕはその裏面部（１０Ｂ）側を、それぞれ示す。
【００５７】
また、図１０は、右足ＲＦ用の舗装工事靴用インソール１０Ｒを例に示す概略底面（下面）図であり、図１１は、内側の概略側面図であり、図１２は、外側の概略側面図である。
【００５８】
但し、図７及び図８においては、図６に示した、右足ＲＦの前足部１２０に対応する領域を前足部対応領域２２０とし、右足ＲＦの中足部１２２に対応する領域を中足部対応領域２２２とし、右足ＲＦの後足部１２３に対応する領域を後足部対応領域２２３として説明する。また、図６に示した、中足部対応領域２２２及び後足部対応領域２２３の、右足ＲＦの内側の周縁立上部１１Ｗを内側周縁立上部１１ＷＩとし、中足部対応領域２２２及び後足部対応領域２２３の、右足ＲＦの外側の周縁立上部１１Ｗを外側周縁立上部１１ＷＯとして説明する。
【００５９】
なお、図中の「１１ＷＩＳ」は、内側周縁立上部１１ＷＩの立上開始の位置を示す内側周縁立上位置であり、「１１ＷＯＳ」は、外側周縁立上部１１ＷＯの立上開始の位置を示す外側周縁立上位置である。また、図７において、「ＣＡ」は中央縦アーチライン、「ＩＡ」は内側縦アーチライン、「ＯＡ」は外側縦アーチラインである。図中の「Ｓａ」は、例えば、横アーチライン（図示省略）上における、横アーチ用凸部１２ＳＡの頂部の位置を、また、図中の「Ｓｂ」は、舗装工事靴用インソール１０Ｒの表面部１０Ｓにおける、特に低硬度な領域を、それぞれ示している。
【００６０】
図７〜図１２に示すように、本実施形態に係る舗装工事靴用インソール１０Ｒは、例えば道路の舗装工事用安全靴ＡＳの中敷きとして用いた場合に特に好適である。
【００６１】
即ち、本実施形態の舗装工事靴用インソール１０Ｒは、図７〜図９に示すように、芯材としてのコルク材層１１を用い、中足部対応領域２２２及び後足部対応領域２２３の周縁部分を表面部１０Ｓ側に立ち上げてなる周縁立上部１１Ｗを備える。また、舗装工事靴用インソール１０Ｒは、表面部１０Ｓ側にクッション性のウレタン層１２を備え、足にかかる負担を軽減できると共に、余剰な疲労を解消することが可能な凸形状部１２Ｓを有する。
【００６２】
凸形状部１２Ｓの横アーチ用凸部１２ＳＡは、図４に示した、足裏ＦＴの横アーチ１８１を整えるためのもので、主に、足裏ＦＴの踏付部１２６に対応する踏付部対応領域２２６の後部分にフィットする、頂部Ｓａの高さが１０ｍｍ程度の所定の形状とされている。
【００６３】
凸形状部１２Ｓの内側縦アーチ用凸部１２ＳＢは、図４に示した、足裏ＦＴの内側縦アーチ１８３を整えるためのもので、主に、足裏ＦＴの内側の部分（土踏まず部分）にフィットする、所定の形状とされている。
【００６４】
凸形状部１２Ｓの外側縦アーチ用凸部１２ＳＣは、図４に示した、足裏ＦＴの外側縦アーチ１８６を整えるためのもので、主に、足裏ＦＴの外側又はアーチの部分にフィットする、所定の形状とされている。
【００６５】
これら凸形状部１２Ｓの、横アーチ用凸部１２ＳＡ、内側縦アーチ用凸部１２ＳＢ、及び、外側縦アーチ用凸部１２ＳＣは、図８及び図９に示すように、互いに滑らかな曲面（凹部）でつながっている。
【００６６】
なお、本実施形態の舗装工事靴用インソール１０Ｒにおいては、滑らかな曲面である、少なくとも横アーチ用凸部１２ＳＡと内側縦アーチ用凸部１２ＳＢとの間の領域（Ｓｂ）の硬度が、横アーチ用凸部１２ＳＡ及び内側縦アーチ用凸部１２ＳＢの硬度よりも低く、例えば、Ｃ硬度計による計測値が２１〜２４度程度とされている。
【００６７】
即ち、舗装工事靴用インソール１０Ｒの表面部１０Ｓには、横アーチ用凸部１２ＳＡと内側縦アーチ用凸部１２ＳＢとの間に、他の領域よりも低硬度な領域Ｓｂが配置されている。このように、内側縦アーチラインＩＡにほぼ対応する部分に低硬度な領域Ｓｂを配置することで、衝撃吸収時の緩衝の効果を向上できる。
【００６８】
周縁立上部１１Ｗは、中足部１２２及び後足部１２３にほぼ対応する、右足ＲＦの内側を主に保持する内側周縁立上部１１ＷＩと、右足ＲＦの外側を主に保持する外側周縁立上部１１ＷＯとを有する。内側周縁立上部１１ＷＩ及び外側周縁立上部１１ＷＯは、共に、最高位置（全高）が１５ｍｍ程度の所定の形状とされている。
【００６９】
コルク材層１１は、図８に示したように、前足部対応領域２２０の表面、及び、前足部対応領域２２０、中足部対応領域２２２、後足部対応領域２２３の全裏面が平面とされる共に、その裏面の全体に不織布１３が圧着されている。これにより、保温性が高められると共に、コルク材層１１が欠損し、使用時に周縁立上部１１Ｗがぼろぼろになったり、周縁立上部１１Ｗそのものが変形したりするのを保護（補強）できる。
【００７０】
このような構成の舗装工事靴用インソール１０Ｒは、図２及び図３に示したように、概ね、舗装工事用安全靴ＡＳの中底２２に応じたサイズと形状とを有する。例えば、舗装工事靴用インソール１０Ｒとしては、図１０〜図１２に示すように、足長に応じた全長（縦寸Ｌａ）が約２７０．０ｍｍの場合、この全長に対して、足幅に応じた全幅（横寸Ｗａ）が約９３．０ｍｍ、厚さ（Ｈａ）が最低で約５．５ｍｍ、全高（Ｈｂ）が約１５．０ｍｍとされている。
【００７１】
内側周縁立上部１１ＷＩは、例えば図１１に示すように、母趾球ＭＢの近傍の内側周縁立上位置１１ＷＩＳ付近を起点として徐々に立ち上がり、後足部対応領域２２３において、外側周縁立上部１１ＷＯと同程度の高さとなるように形成されている。
【００７２】
外側周縁立上部１１ＷＯは、例えば図１２に示すように、小趾球ＬＢの近傍の外側周縁立上位置１１ＷＯＳ付近を起点として徐々に立ち上がり、後足部対応領域２２３において、内側周縁立上部１１ＷＩと同程度の高さとなるように形成されている。
【００７３】
図１１及び図１２に示したように、内側周縁立上部１１ＷＩ及び外側周縁立上部１１ＷＯは徐々に立ち上がり、全体的になだらかな形状を有する場合に限らず、内側周縁立上位置１１ＷＩＳの付近又は外側周縁立上位置１１ＷＯＳの付近を起点にして急峻に立ち上がるような形状としても良い（例えば、図３参照）。
【００７４】
図１３は、本実施形態に係る舗装工事靴用インソール１０Ｒの高温熱に対する温度特性を説明するためにしたシミュレーションの結果を比較例と対比して示すもので、図１３（ａ）は、加熱時間別表面温度の変化を表化して示すものであり、図１３（ｂ）は、該加熱時間別表面温度の変化をグラフ化して示すものである。
【００７５】
このシミュレーションにおいては、付属のインソールを装着するようにした専用の安全靴（図示省略）を採用し、これに付属のインソールを装着した場合を比較例（例えば、ミドリ安全社製ＶＲ２３５）とし、本実施形態に係る舗装工事靴用インソール１０Ｒの試作品を装着した場合と比較した。試作品としては、例えば、補強用の不織布、３ｍｍ厚の断熱性コルクシート（ＣＯＲＫ３ｍｍ）、クッション材（ＶＦ１５０）、サラッキー（商品名、ＣＳ０９０２Ｃ＃１０１）を、下から順に積層して圧着したものを用いた。
【００７６】
シミュレーションは、表面温度が１５０℃の金属板上に靴底が接触するように安全靴を置き、表面温度計（例えば、安立計器社製ＩＤ−１１００Ｅ）を用いて、インソールの踏付部対応領域付近の表面温度を加熱の開始から２０分が経過するまで５分間隔で測定した。また、参考例として、インソールの装着なしの場合（図１３中に×で示す）も測定した。表面温度の単位は、℃である。
【００７７】
シミュレーションの結果、図１３（ａ）及び図１３（ｂ）に示すように、比較例（図中に△で示す）に対し、本実施形態に係る舗装工事靴用インソール１０Ｒの試作品（図中に●で示す）の方が、平均で６℃〜７℃も高い断熱効果が認められた。
【００７８】
また、上述のシミュレーションで用いた試作品とは異なる試作品（例えば、補強用の不織布、３ｍｍ厚の断熱性コルクシート（ＣＯＲＫ３ｍｍ）、クッション材（ＶＦ１００）、サラッキー（商品名、ＣＳ０９０２Ｃ＃１０１））を、付属のインソール（鹿の子生地＋ＥＶＡカップインソール）を取り外した安全靴（例えば、ミドリ安全社製ＩＳＡ−８０５）に装着した場合を対象に、フィット感、グリップ性、クッション性、及び、疲れ難さについての実験を行った。その結果、付属のインソールの場合よりも、総じて、本試作品を装着した場合の方が、フィット感やグリップ性及びクッション性に優れ、長時間の使用でも疲れ難いといった高評価が得られた。
【００７９】
そして、この実験においては、コルクシートの破断や欠落などの欠損も生じず、十分な耐久性も確認できた。
【００８０】
上記したように、本実施形態の舗装工事靴用インソールによれば、芯材に圧縮コルク材を用いた圧縮ウレタン材との積層構造としたことによって、高い断熱効果と共に、軽量化やクッション性のさらなる向上が図られる。
【００８１】
即ち、安全靴内に装着された状態で使用される着脱式の舗装工事靴用インソールの芯材としてコルク材層を用い、そのコルク材層の中足部及び後足部に対応する領域の周縁が表面側に立ち上げられてなる周縁立上部を備えると共に、このコルク材層の上面にクッション部材としてのウレタン層を設けるようにしている。これにより、足裏に対する十分なクッション性を確保できると共に、アスファルトなどの舗設面からの、作業者の足裏への熱の伝わりを十分に抑制することが可能となる。従って、舗設から２０分程度経過した後の温度が大よそ１００〜１２０℃にもなるアスファルトの高温熱より、作業中の作業者の足裏を効果的に保護できる。
【００８２】
また、周縁立上部によって足の中足部及び後足部をしっかりと固定させることができるので、軽量でありながら、靴中での足の位置ずれや滑りを抑制することが可能となる。しかも、ウレタン層が凹凸形状を有しているので、適度なクッション性と共に、足裏の３アーチを効果的にサポートすることが可能となり、足への負担や疲労を軽減できる。
【００８３】
その結果、より長い時間にわたって連続して作業することを可能にするなど、道路などの舗装工事における作業効率を改善することができ、現場での作業性を格段に向上できる。
【００８４】
また、コルク材層の下面に不織布を形成するようにしたことによって、コルク材層を補強することができるので、周縁立上部の形状を維持し易く、特に、使用中に周縁立上部の縁部分が欠けてぼろぼろになったり、亀裂が入るといった欠損からコルク材層を容易に保護することが可能となる。
【００８５】
また、速乾性を有する表層部材を設けた場合には、サラッとした履き心地と共に、快適なフィット感や適度なグリップ性を常に確保できる。
【００８６】
なお、上記した実施形態においては、舗装工事靴用インソールを例示して説明したが、舗装工事靴に限らず、例えばゴム長とも称する靴底が平坦にされたゴム製の長靴（作業靴）にも適用できる。
【００８７】
特に、本実施形態の断熱用インソールは、夏場において高温になりがちな砂浜やプールサイドのコンクリート面、屋根の上での作業時などに使用される各種の作業靴への適用も可能である。
【００８８】
また、本実施形態の断熱用インソールは、溶けたガラスや鋳物などが床面に散乱すると危険な工房や工場など、足下からの高温熱の伝わりが問題となる過酷な現場での使用に好適である。
【００８９】
また、本実施形態の断熱用インソールは、足下からの高温熱の伝わりが問題となる場合に限らず、雪上や氷上などのような足下からの冷えの伝わりが問題となる、例えば、雪かきや雪おろしなどの除雪作業、冬山登山、凍結湖でのワカサギ釣や氷上競技といったスポーツシーン、又は、氷の切り出しや冷凍庫内での作業のための作業靴にも適用できる。
【００９０】
図１４は、本実施形態に係る断熱用インソールの冷えに対する温度特性を説明するためにしたシミュレーションの結果を示すもので、図１４（ａ）は、冷却時間別表面温度の変化を表化して示すものであり、図１４（ｂ）は、該冷却時間別表面温度の変化をグラフ化して示すものである。
【００９１】
図１４（ａ）及び図１４（ｂ）では、図１３に示したシミュレーションの際に用いたインソールの試作品を、市販の長靴（図示省略）内に入れたインソールありの場合（図中に●で示す）と、長靴のみのインソールなしの場合（図中に×で示す）とを、対比して示している。表面温度の単位は、℃である。
【００９２】
図１４（ａ）及び図１４（ｂ）は、例えば、図示していない保冷用冷却体（表面温度が約−１３．１℃）上に、靴底が接触するようにして長靴を置き、表面温度計（例えば、安立計器社製ＩＤ−１１００Ｅ）を用いて、インソールの踏付部対応領域付近の表面温度を冷却の開始から６０分が経過するまで５分間隔で測定した結果である。
【００９３】
インソールありの場合の方が、長靴だけ（インソールなし）の場合よりも、冷えの伝わりに対して高い断冷（保温）効果が認められた。
【００９４】
また、他の実施形態に係る舗装工事靴用インソール１０Ｒとしては、例えば図１５中に拡大して示す要部１１Ｗｅｘのように、周縁立上部１１Ｗの、少なくとも足と強く接触する部分をウレタン層１２のみの単層構造とすることも可能である。
【００９５】
さらに、別の実施形態に係る舗装工事靴用インソール１０Ｒとしては、例えば図１６に示すように、親指とその他の指とが切れ込み部１９によって二股に分けられた地下足袋（作業靴）用インソールとすることも可能である。
【符号の説明】
【００９６】
１０Ｒ  舗装工事靴用インソール
１１  コルク材層
１１Ｗ  周縁立上部
１１ＷＩ  内側周縁立上部
１１ＷＩＳ  内側周縁立上位置
１１ＷＯ  外側周縁立上部
１１ＷＯＳ  外側周縁立上位置
１２  ウレタン層
１２Ｓ  凸形状部
１３  不織布
１４  表層部材
１２０  前足部
１２２  中足部
１２３  後足部
１８８  足裏の３アーチ
２２０  前足部対応領域
２２２  中足部対応領域
２２３  後足部対応領域
２２６  踏付部対応領域
ＡＳ  舗装工事用安全靴
ＦＢ  足骨格
ＦＴ  足裏
【図１】
2019150426.tif 000003
【図２】
2019150426.tif 000004
【図３】
2019150426.tif 000005
【図４】
2019150426.tif 000006
【図５】
2019150426.tif 000007
【図６】
2019150426.tif 000008
【図７】
2019150426.tif 000009
【図８】
2019150426.tif 000010
【図９】
2019150426.tif 000011
【図１０】
2019150426.tif 000012
【図１１】
2019150426.tif 000013
【図１２】
2019150426.tif 000014
【図１３】
2019150426.tif 000015
【図１４】
2019150426.tif 000016
【図１５】
2019150426.tif 000017
【図１６】
2019150426.tif 000018